(57)【特許請求の範囲】
【請求項１】
磁気媒体の磁気記録部に対して磁気データを書込み、その後確認の読出しを行う磁気媒体取扱装置において、
磁気データを書込み、その後確認の読出しを行った時にエラーが発生したことを示すエラー情報を格納する格納部を設け、
磁気データを書込み、その後確認の読出しを行った時にエラーが発生した場合に、前記磁気記録部に前記エラー情報を書き込み、
前記エラー情報が書込まれた磁気媒体の磁気記録部に読取りエラーが発生した場合、該磁気媒体の磁気記録部に前記エラー情報を書込んだ装置の書込みの失敗であると判定する制御部を具備し、
前記制御部は、前記エラー情報が書込まれた磁気媒体の磁気記録部をエラーとならずに読取れた場合に、前記エラー情報が前記磁気媒体の磁気記録部に書込まれているか否かを判定し、書込まれている場合は該エラー情報を読取り、読取ったエラー情報と前記格納部に格納してあるエラー情報とを比較し、両者が一致した場合、磁気媒体の磁気記録部に前記磁気データを書込み、その後確認の読出しを行うことを特徴とする磁気媒体取扱装置。
【請求項２】
前記制御部は、前記エラー情報が書込まれた磁気媒体の磁気記録部をエラーとならずに読取れた場合に、読取ったエラー情報と前記格納部に格納してあるエラー情報とを比較し、両者が一致しない場合、磁気媒体の磁気記録部に前記エラー情報を書込んだ装置における書込み後の読取りで失敗したと判定する請求項１記載の磁気媒体取扱装置。
【発明の詳細な説明】
【技術分野】
【０００１】
本発明は、金融機関等で使用される自動取引装置や通帳処理装置など、磁気ストライプ読取／書込ユニット等を有する磁気媒体取扱装置に関し、とくに突発的な磁気書込みエラーが発生した場合に、書込側が悪いのか読取側が悪いのかを即座に判定できる磁気媒体取扱装置に関する。
【背景技術】
【０００２】
従来、磁気ストライプを有する通帳を搬送し、磁気ヘッドを用いて磁気データの読取り／書込みを行う磁気読取り／書込み機能を備えた自動取引装置では、読取り／書込みの対象となる磁気ストライプに対し、上位装置で決められた書込みデータをそのまま書込み、書込みエラーが発生した場合には、正しく書込めたかどうかに拘らず、通帳を顧客に返却するか、あるいは保守員により調査を行っていた。
【０００３】
また磁気ヘッドは磁気ストライプの所定の位置に磁気データを書き込むのであるが、ユニット交換や調整時に誤って磁気ヘッドと通帳の磁気ストライプの位置関係がずれてしまうと、磁気データが読取れなくなり、エラーとなる。こうしたエラーを回避するために、磁気ストライプの正しい位置に磁気情報が書き込まれているか否かを検出する装置が、例えば、特許文献１（特開平１０−３４０４０６号公報）に開示されている。
【０００４】
図６は従来の磁気ヘッドおよび制御部を示す制御ブロック図である。図６において、磁気ヘッド１はライトヘッド１ａとリードヘッド１ｂを有する。ライトヘッド１ａは、与えられた電流で通帳Ｐの磁気ストライプ２に対して情報を書き込む。リードヘッド１ｂは、磁気ストライプ２から磁気情報の読取を行う。また制御部３は、磁気ヘッド１を制御するもので、書込みデータ格納部４および解析部５が設けられている。御部３はインタフェース回線６により上位制御部７に接続されている。上位制御部７には読取データ認識部８と書込データ決定部９が設けられており、読取データ認識部８は読取ったデータを認識する。また書込データ決定部９は、磁気ストライプ２に書込むデータを決定する。
【０００５】
次に動作を簡単に説明する。データを書込む場合は、通帳Ｐを搬送させ、通帳Ｐに貼り付けられている磁気ストライプ２に磁気ヘッド１を擦り付ける。上位制御部７の書込データ決定部９で決定され、制御部３の書込データ格納部４に格納された書込データに応じた書込み電流値を設定し、ライトヘッド１ａに方形波の電流を流して磁気を発生させ、磁気ストライプ２に磁気を書込む。
【０００６】
その後、リードヘッド１ｂにより確認読取を行う。読取られたデータは解析部５で解析され、制御部３は確認のために読取ったデータと書込データとを比較し、両者が一致したら書込みが正常に行われたとし、一致しない場合は書込みエラーとする。書込みエラーが発生した場合には、通帳Ｐを排出して、通帳を顧客に返却するか、あるいは保守員により調査を行っていた。
【特許文献１】特開平１０−３４０４０６号公報
【発明の開示】
【発明が解決しようとする課題】
【０００７】
しかしながら従来の磁気書込み処理においては、まず書込データを書込み、その後、読取確認を行い、確認読取データと書込データが一致したら正常書込みとし、一致しない場合は書込みエラーとしているので、書込みエラーが発生した場合に、書込みに失敗したのか、あるいは確認読取に失敗したのかがわからないという問題があった。特に突発的に発生した書込みエラーの場合、後で調べても原因がわからないという問題があった。
【０００８】
エラー調査をする場合、書込データ情報を制御部のメモリもしくは上位制御部で確認し、読取ったデータと異なることを確認することしか調査の方法がなく、それ以上の調査は専門性が高くなり、保守員等ではできないことが多く、またできたとしても工数がかかっていた。
【０００９】
またエラーがでても対象となる通帳を顧客が持ち帰ってしまうケースもあり、通帳の磁気ストライプに最終的に何が書かれているかわからない（書込みを行う前のデータか、書込み後のデータか、あるいは破壊されたデータかがわからない）ので、この状態で次の取引時に正常な装置で読取エラーが発生すると、何が原因でエラーが発生したのかわからなくなるケースがあった。
【００１０】
そこで本発明は、書込みエラーが発生した場合に、書き込みに失敗したのか、確認読取に失敗したのかがわかり、エラー調査をする場合にも保守員レベルで即座に確認でき、さらにエラーの発生した媒体を持ち帰られてもエラーの発生していた媒体であることを確認できる磁気媒体取扱装置を提供することを目的とする。
【課題を解決するための手段】
【００１１】
上記課題を解決するために本発明は、磁気媒体の磁気記録部に対して磁気データを書込み、その後確認の読出しを行う磁気媒体取扱装置において、磁気データを書込み、その後確認の読出しを行った時にエラーが発生したことを示すエラー情報を格納する格納部を設け、磁気データを書込み、その後確認の読出しを行った時にエラーが発生した場合に、前記磁気記録部に前記エラー情報を書き込み、前記エラー情報が書込まれた磁気媒体の磁気記録部に読取りエラーが発生した場合、該磁気媒体の磁気記録部に前記エラー情報を書込んだ装置の書込みの失敗であると判定する制御部を具備し、前記制御部は、前記エラー情報が書込まれた磁気媒体の磁気記録部をエラーとならずに読取れた場合に、前記エラー情報が前記磁気媒体の磁気記録部に書込まれているか否かを判定し、書込まれている場合は該エラー情報を読取り、読取ったエラー情報と前記格納部に格納してあるエラー情報とを比較し、両者が一致した場合、磁気媒体の磁気記録部に前記磁気データを書込み、その後確認の読出しを行うことを特徴とするものである。
【発明の効果】
【００１５】
本発明によれば、エラー情報が書込まれた磁気媒体の磁気記録部を読取った際に読取りエラーが発生した場合、磁気媒体の磁気記録部にエラー情報を書込んだ装置の書込み失敗であると判定し、またエラー情報が書込まれた磁気媒体の磁気記録部をエラーとならずに読取れた場合に、エラー情報が磁気媒体の磁気記録部に書込まれているか否かを判定し、書込まれている場合は該エラー情報を読取り、読取ったエラー情報と格納部に格納してあるエラー情報とを比較し、両者が一致した場合、磁気媒体の磁気記録部に磁気データを書込み、その後確認の読出しを行うようにしたので、エラーの原因が即座にわかるとともに、エラー情報を書込んだ装置の異常の場合は他の装置で正常に処理できる。
【発明を実施するための最良の形態】
【００１９】
以下、本発明の実施の形態を図面にしたがって説明する。各図面に共通する要素には同一の符号を付す。図１は本発明の第１の実施の形態における磁気ヘッド及び制御部を示すブロック図である。なお以下に説明する実施の形態においては、磁気媒体として磁気ストライプを具備した通帳を例にして説明する。
【００２０】
図１において、磁気ヘッド１はライトヘッド１ａとリードヘッド１ｂを有する。ライトヘッド１ａは、与えられた電流で通帳Ｐの磁気ストライプ２に対して情報を書き込む。リードヘッド１ｂは、磁気ストライプ２から磁気情報の読取を行う。制御部１１は、磁気ヘッド１を制御するもので、書込みデータ格納部４、解析部５およびライトエラーデータ格納部１２が設けられている。書込データ格納部４は、ライトヘッド１ａにより通帳Ｐの磁気ストライプ２に書込むデータを格納する。解析部５はリードヘッド１ｂで読取ったデータを解析する。
【００２１】
ライトエラーデータ格納部１２は、書込みエラーが発生した場合に磁気ストライプ２に書込むライトエラーデータを格納する。ライトエラーデータは特殊なデータで、例えば、すべて“０”で構成されるデータやインクリメントデータなど運用ではあり得ないデータで、事前に決めておいたデータである。またこのデータは書込みエラーが発生したことを示すものとしても使用される。
【００２２】
制御部１１はインタフェース回線６により上位制御部７に接続されている。上位制御部７には読取データ認識部８と書込データ決定部９が設けられており、読取データ認識部８は読取ったデータを認識する。また書込データ決定部９は、磁気ストライプ２に書込むデータを決定する。
【００２３】
図２は本発明が適用される通帳取扱装置を示す概略構成図である。図２において、通帳取扱装置２１の左端部には吸入口２２が設けられ、吸入口２２から右方に搬送路２３が形成されている。搬送路２３に沿って、搬送ローラ対２４ａ、２４ｂ、２４ｃ、２４ｄ、２４ｅ、磁気ヘッド１、改頁機構２６、印字部２７、頁・行読取部２８が設けられている。吸入口２２は磁気ストライプを具備した通帳Ｐが挿入されるとともに排出される部位である。搬送ローラ対２４ａ、２４ｂ、２４ｃ、２４ｄ、２４ｅは、図示しないモータにより回転し、通帳Ｐを搬送路２３上で搬送する。通帳Ｐは両方向に搬送される。
【００２４】
磁気ヘッド１は上述したように、通帳Ｐに具備される磁気ストライプに対して磁気情報を書込み／読取るものである。改頁機構２６は、通帳Ｐの表紙または中紙を捲り、改頁を行う。印字部２７は印字ヘッド２７ａとプラテン２７ｂにより構成され、通帳Ｐに取引情報などを印字する。頁・行読取部２８は、通帳Ｐの所定の位置に印刷されている頁情報及び行を読み取るもので、ＣＣＤセンサが設けられている。
【００２５】
また通帳取扱装置２１には、装置２１全体の動作を制御する制御部１１が設けられている。制御部１１は上位制御部７と接続されている。上位制御部７は、磁気ストライプに関する情報を判別して書込み情報等を制御部１１に指示する。上位制御部７は例えば通帳取扱装置２１が組み込まれる自動取引装置の主制御部である。
【００２６】
次に第１の実施の形態における通帳処理動作を図３のフローチャートにしたがって説明する。図３は第１の実施の形態の通帳処理動作を示すフローチャートである。まず制御部１１は、後述するリトライ回数をカウントするカウント値ｎを０にクリアするとともに、リトライ回数の上限値ｍを任意の数に設定する（ステップ１）。
【００２７】
通帳Ｐが通帳取扱装置２１の吸入口２２から挿入されると、図示しない挿入検出センサがこれを検出し（ステップ２）、制御部１１は図示しない駆動モータを回転させ、搬送ローラ対２４ａ、２４ｂ、２４ｃ、２４ｄ、２４ｅを回転させる。これにより通帳Ｐは図２に示す矢印Ａ方向に搬送される。通帳Ｐが搬送されて磁気ヘッド１のところへくると、リードヘッド１ｂにより通帳Ｐの磁気ストライプ２の磁気情報を読取る。読取出力は、制御部１１の解析部５へ送られ、ここで読み取り情報の解析が行われる。
【００２８】
その後通帳Ｐは頁・行読取部２８まで搬送され、ここで見開かれている頁および最終印字行が読取られる。最終印字行の次の行が見開かれている場合、通帳Ｐは印字部２７へ搬送され、印字部２７において印字ヘッド２７ａにより取引情報などを印字する。また最終印字行の次の行が見開かれていない場合、通帳Ｐは改頁部２６まで戻され、ここで最終印字行の次の行が見開かれるように改頁が行われ、その後再び頁・行読取部２８へ搬送し、見開き頁を確認した後、通帳Ｐを印字部２７へ搬送し、印字を行う。
【００２９】
すべての印字処理が終了すると、通帳Ｐは磁気ヘッド１まで搬送される。制御部１１は、先に磁気ヘッド１により読取った磁気情報および頁・行読取部２８で読取った情報を上位制御部７へ送信する。上位制御部７は受信した情報に基づいて、書込データ決定部９で通帳Ｐの磁気ストライプ２に書込むデータを決定する（ステップ３）。決定された書込データは、インタフェース回線６を介して制御部１１へ送られ、書込データ格納部４に格納される（ステップ４）。
【００３０】
磁気ヘッド１のライトヘッド１ａは、通帳Ｐの磁気ストライプ２に対して、書込データ格納部４に格納されたデータの磁気書込みを行う（ステップ５）。続いてリードヘッド１ｂにより、ステップ５で書込んだデータを確認用に読取る（ステップ６）。そして制御部１１は、いま確認用に読取ったデータと書込データ格納部４に格納してあるデータとが一致するかどうか比較する（ステップ７）。比較の結果、読取データと書込データ格納部４の書込データが一致すると、制御部１１は書込みが正常に行われたとし（ステップ８）、通帳Ｐを吸入口２２から排出して（ステップ９）、処理を終了する。
【００３１】
ステップ７において読取データと書込データ格納部４の書込データが不一致であると判断された場合、リトライのカウント値ｎを１だけカウントアップし（ステップ１０）、カウントアップした値ｎが設定した値ｍより大きいかどうか判断し（ステップ１１）、即ち、リトライ回数が設定回数を超えたかどうか判断し、超えない場合はステップ６へ戻り、以降の処理を繰り返す。
【００３２】
ステップ１１においてリトライ回数が設定回数を超えたと判断した場合、制御部１１は、ライトエラーデータ格納部１２に格納してあるライトエラーデータをライトヘッド１ａにより磁気ストライプ２に書込むとともに、装置２１を特定できるデータを磁気ストライプ２に書込む（ステップ１３）。装置２１を特定できるデータは上位制御部７から送信されたものである。その後は通帳Ｐを吸入口２２から排出して（ステップ９）、処理を終了する。
【００３３】
以上のように、書込データと確認読取結果とが複数回のリトライの後も一致しない場合には、ライトエラーデータと装置特定データが磁気書込みされる。このような通帳Ｐが次に通帳取扱装置２１に挿入された場合の処理について、図４のフローチャートにしたがって説明する。図４は第１の実施の形態におけるエラー処理を示すフローチャートである。
【００３４】
通帳Ｐが通帳取扱装置２１の吸入口２２から挿入されると、図示しない挿入検出センサがこれを検出し（ステップ２１）、制御部１１は図示しない駆動モータを回転させ、搬送ローラ対２４ａ、２４ｂ、２４ｃ、２４ｄ、２４ｅを回転させる。これにより通帳Ｐは図２に示す矢印Ａ方向に搬送される。通帳Ｐが搬送されて磁気ヘッド１のところへくると、リードヘッド１ｂにより通帳Ｐの磁気ストライプ２の磁気情報を読取る（ステップ２２）。読取出力は、制御部１１の解析部５へ送られ、ここで読み取り情報の解析が行われる。
【００３５】
制御部１１は、解析の結果に基づいて、読取エラーが発生したか判断する（ステップ２３）。読取エラーが発生したと判断した場合、通帳Ｐが以前に書込みエラーが発生した通帳であるか否かを判定する（ステップ２４）。これは、磁気ストライプ２にライトエラーデータが書込まれているか否かにより判断する。
【００３６】
通帳Ｐが以前に書込みエラーが発生した通帳であると判定した場合、制御部１１は、通帳Ｐにライトエラーデータを書込んだ装置が書込みを失敗したか、あるいは通帳Ｐの不良若しくは破損であると表示する（ステップ２５）。このとき同時に、通帳Ｐにライトエラーデータを書込んだ装置２１を特定する情報を一緒に表示するようにしてもよい。そして制御部１１は保守員のコールを行う（ステップ２６）。
【００３７】
ステップ２４において通帳Ｐが以前に書込みエラーが発生した通帳であるかどうか判らないと判定した場合（書込みエラーが発生した通帳ではない場合とライトエラーデータで判断できない場合を含む）、制御部１１は、読取不可若しくは通帳Ｐの磁気破損であると表示する（ステップ２７）。そして保守員のコールを行う（ステップ２６）。
【００３８】
ステップ２３において読取エラーが発生していないと判断された場合、制御部１１は、通帳Ｐが以前に書込みエラーが発生した通帳であるか否かを判定する（ステップ２８）。通帳Ｐが以前に書込みエラーが発生した通帳であると判定した場合、制御部１１は、通帳Ｐの磁気ストライプ２に書込まれているライトエラーデータを読取り（ステップ２９）、読取ったライトエラーデータとライトエラーデータ格納部１２に格納してあるライトエラーデータとを比較し、両者が一致するかどうか判定する（ステップ３０）。
【００３９】
判定の結果、読取ったライトエラーデータとライトエラーデータ格納部１２に格納してあるライトエラーデータとが一致しない場合、制御部１１は、挿入された通帳Ｐは、通帳Ｐにライトエラーデータを書込んだ装置で読取りが失敗した旨を表示する（ステップ３１）。このとき同時に、通帳Ｐにライトエラーデータを書込んだ装置を特定する情報を一緒に表示するようにしてもよい。ステップ３０で読取ったライトエラーデータとライトエラーデータ格納部１２に格納してあるライトエラーデータとが一致した場合、通帳Ｐは頁・行読取部２８まで搬送され、ここで見開かれている頁および最終印字行が読取られる（ステップ３２）。
【００４０】
最終印字行の次の行が見開かれている場合、通帳Ｐは印字部２７へ搬送され、印字部２７において印字ヘッド２７ａにより取引情報などを印字する（ステップ３３）。また最終印字行の次の行が見開かれていない場合、通帳Ｐは改頁部２６まで戻され、ここで最終印字行の次の行が見開かれるように改頁が行われ、その後再び頁・行読取部２８へ搬送し、見開き頁を確認した後、通帳Ｐを印字部２７へ搬送し、印字を行う。
【００４１】
印字が終了すると、磁気ヘッド１のライトヘッド１ａは、通帳Ｐの磁気ストライプ２に対して、書込データ格納部４に格納されたデータを磁気書込みを行う（ステップ３４）。書込むデータは、上位制御部７の書込データ決定部９で決定されたデータである。続いてリードヘッド１ｂにより、ステップ３４で書込んだデータを読取る。そして制御部１１は、いま読取ったデータと書込データ格納部４に格納してあるデータとが一致するかどうか比較する。比較の結果、読取データと書込データ格納部４の書込データが一致すると、制御部１１は書込みが正常に行われたとし、通帳Ｐを吸入口２２から排出して（ステップ３５）、処理を終了する。
【００４２】
設定回数のリトライを行っても、読取データと書込データ格納部４の書込データが一致しない場合、制御部１１は、ライトエラーデータ格納部１２に格納してあるライトエラーデータをライトヘッド１ａにより磁気ストライプ２に書込むとともに、装置２１を特定できるデータを磁気ストライプ２に書込む。
【００４３】
以上のように第１の実施の形態に拠れば、ライトエラーデータを格納するライトエラーデータ格納部１２を設け、書込みエラーが発生した場合に通帳Ｐの磁気ストライプ２にライトエラーデータを書込むことにより、後に当該通帳Ｐを読取った場合に、書込みエラーが書込みの失敗によるのか、あるいは確認読取りの失敗によるのかがわかるようになる。また書込みエラーを発生した装置２１を特定する情報を書込みエラー発生時に磁気ストライプ２に書込むことにより、書込みの失敗または確認読取の失敗をした装置２１を即座に特定することが可能となる。
【００４４】
また、エラー調査をする場合、書込データ情報を制御部のメモリもしくは上位制御部で確認し、読取ったデータと異なることを確認するような工数をかけることなく、保守員レベルで確認読取ができなかったことを即座に確認できる効果もある。
【００４５】
さらに、書込みエラーが発生した通帳を顧客が持ち帰ってしまった場合も、その通帳を次に使用する場合に読取エラーが発生しても、ライトエラーデータが読取られれば事前に書込みエラーが発生していた通知Ｐであり、書込みエラーの原因が何であるかがわかるようになる。
【００４６】
次に第２の実施の形態を説明する。第２の実施の形態の構成は第１の実施の形態と同様である。第２の実施の形態は、第１の実施の形態に対して、ライトエラーデータが書込まれた通帳が使用された場合の処理の仕方が異なる。なお第２の実施の形態においては、書込みエラーが発生した際に、上位制御部７から、通帳Ｐを特定するデータを受信し、この通帳特定データがライトエラーデータとともに磁気ストライプ２に書込まれている。
【００４７】
次に、図１、図２を流用し、図５にしたがってライトエラーデータが書込まれた通帳の処理について説明する。図５は第２の実施の形態におけるエラー処理を示すフローチャートである。
【００４８】
通帳Ｐが通帳取扱装置２１の吸入口２２から挿入されると、図示しない挿入検出センサがこれを検出し（ステップ４１）、制御部１１は図示しない駆動モータを回転させ、搬送ローラ対２４ａ、２４ｂ、２４ｃ、２４ｄ、２４ｅを回転させる。これにより通帳Ｐは図２に示す矢印Ａ方向に搬送される。通帳Ｐが搬送されて磁気ヘッド１のところへくると、リードヘッド１ｂにより通帳Ｐの磁気ストライプ２の磁気情報を読取る（ステップ４２）。読取出力は、制御部１１の解析部５へ送られ、ここで読み取り情報の解析が行われる。
【００４９】
制御部１１は、解析の結果に基づいて、読取エラーが発生したか判断する（ステップ４３）。読取エラーが発生したと判断した場合、通帳Ｐが以前に書込みエラーが発生した通帳であるか否かを判定する（ステップ４４）。これは、磁気ストライプ２にライトエラーデータが書込まれているか否かにより判断する。通帳Ｐが以前に書込みエラーが発生していない通帳であると判定した場合、制御部１１は、読取不可若しくは通帳Ｐの磁気破損であると表示する（ステップ４５）。そして保守員のコールを行う（ステップ４６）。
【００５０】
ステップ４４で通帳Ｐが以前に書込みエラーが発生した通帳であると判定した場合、制御部１１は、通帳Ｐの磁気ストライプ２に書込まれているライトエラーデータを読取り（ステップ４７）、読取ったライトエラーデータとライトエラーデータ格納部１２に格納してあるライトエラーデータとを比較し、両者が一致するかどうか判定する（ステップ４８）。
【００５１】
判定の結果、読取ったライトエラーデータとライトエラーデータ格納部１２に格納してあるライトエラーデータとが一致しない場合、制御部１１は、通帳Ｐにライトエラーデータを書込んだ装置が書込みを失敗したか、あるいは通帳Ｐの不良若しくは破損であると表示する（ステップ４９）。このとき同時に、通帳Ｐにライトエラーデータを書込んだ装置２１を特定する情報を一緒に表示するようにしてもよい。そして制御部１１は保守員のコールを行う（ステップ４６）。
【００５２】
ステップ４８において、読取ったライトエラーデータとライトエラーデータ格納部１２に格納してあるライトエラーデータとが一致した場合、制御部１１は、挿入された通帳Ｐは、通帳Ｐにライトエラーデータを書込んだ装置で読取りが失敗した旨を表示する（ステップ５０）。このとき同時に、通帳Ｐにライトエラーデータを書込んだ装置を特定する情報を一緒に表示するようにしてもよい。この後、ステップ５１に移行する。通帳Ｐの磁気ストライプ２には、通帳Ｐを特定する情報が書込まれているので、制御部１１はこの情報に基づいて上位制御部７から処理に必要な情報を検索し、ステップ５１以降の処理を実行する。
【００５３】
ステップ４３において読取エラーが発生していないと判断された場合、通帳Ｐは頁・行読取部２８まで搬送され、ここで見開かれている頁および最終印字行が読取られる（ステップ５１）。最終印字行の次の行が見開かれている場合、通帳Ｐは印字部２７へ搬送され、印字部２７において印字ヘッド２７ａにより取引情報などを印字する（ステップ５２）。また最終印字行の次の行が見開かれていない場合、通帳Ｐは改頁部２６まで戻され、ここで最終印字行の次の行が見開かれるように改頁が行われ、その後再び頁・行読取部２８へ搬送し、見開き頁を確認した後、通帳Ｐを印字部２７へ搬送し、印字を行う。
【００５４】
印字が終了すると、磁気ヘッド１のライトヘッド１ａは、通帳Ｐの磁気ストライプ２に対して、書込データ格納部４に格納されたデータを磁気書込みを行う（ステップ５３）。書込むデータは、上位制御部７の書込データ決定部９で決定されたデータである。続いてリードヘッド１ｂにより、ステップ３４で書込んだデータを読取る。そして制御部１１は、いま読取ったデータと書込データ格納部４に格納してあるデータとが一致するかどうか比較する。比較の結果、読取データと書込データ格納部４の書込データが一致すると、制御部１１は書込みが正常に行われたとし、通帳Ｐを吸入口２２から排出して（ステップ５４）、処理を終了する。
【００５５】
設定回数のリトライを行っても、読取データと書込データ格納部４の書込データが一致しない場合、制御部１１は、ライトエラーデータ格納部１２に格納してあるライトエラーデータをライトヘッド１ａにより磁気ストライプ２に書込むとともに、通帳Ｐを特定できるデータを磁気ストライプ２に書込む。
【００５６】
以上のように第２の実施の形態においては、第１の実施の形態の有する効果に加えて、読取エラーが発生し、以前に通帳Ｐが書込みされた際に書込みエラーが発生していた場合でも、この書込みエラーは確認読取の失敗と判断した場合には、通帳Ｐを排出せずに、その後の処理を続行するようにしたので、顧客の便を図った効率的な通帳処理を行うことが可能である。
【００５７】
上記各実施の形態ではライトエラーデータを制御部１１に格納させる例を示しているが、上位制御部７に格納するようにしてもよい。またライトエラーデータのみならず他のエラー情報も通帳Ｐの磁気ストライプ２に書込むことが可能であり、通帳Ｐが他の装置に挿入された際にこのエラー情報を読取ることにより、装置の運用を停めることなく装置の詳細な状態を把握することも可能となる。
【図面の簡単な説明】
【００５８】
【図１】第１の実施の形態における磁気ヘッド及び制御部を示すブロック図である。
【図２】通帳取扱装置を示す概略構成図である。
【図３】第１の実施の形態の通帳処理動作を示すフローチャートである。
【図４】第１の実施の形態におけるエラー処理を示すフローチャートである。
【図５】第２の実施の形態におけるエラー処理を示すフローチャートである。
【図６】従来の磁気ヘッドおよび制御部を示す制御ブロック図である。
【符号の説明】
【００５９】
１  磁気ヘッド
２  磁気ストライプ
７  上位制御部
１１  制御部
１２  ライトエラーデータ格納部
Ｐ  通帳
【図１】
0004946792.tif 000002
【図２】
0004946792.tif 000003
【図３】
0004946792.tif 000004
【図４】
0004946792.tif 000005
【図５】
0004946792.tif 000006
【図６】
0004946792.tif 000007